(57)【要約】      （修正有）【課題】電気信号配線を使用せずに引戸の開放状態を解除する開放ストッパー装置を提供する。【解決手段】開放ストッパーは、引戸６側に設けられた第１係合部材１０と、引戸枠側に設けられた引戸６を開放させると第１係合部材１０に係合する第２係合部材９とから成り、引戸６の開放時に両係合部材が係合することによって、引戸６を開放状態で保持させるものであって、第１係合部材１０と第２係合部材９のうち少なくとも一方に開放保持解除手段が設けられ、開放保持解除手段は、両係合部材の係合状態を解除する付勢手段９５と、付勢手段９５の付勢力に抗して係合状態を維持する熱融解性部を有する固定部材９６とを備え、所定温度以上になったときに、固定部材９６の熱融解性部が融解することによって固定部材９６が破断し、引戸６の開放保持時の係合状態が解除される。【選択図】図６
2014221142.tif 000002
【特許請求の範囲】
【請求項１】
建物用鉄骨に固定される引戸枠にレール部材が設けられ、開閉自在で自閉可能にレール部材に吊り下げられた引戸を開放状態に保持する引戸の開放ストッパー装置において、開放ストッパー装置は、引戸側に設けられた第１係合部材と、引戸枠側に設けられた引戸を開放させると前記第１係合部材に係合する第２係合部材とから成り、引戸の開放時に両係合部材が係合することによって、引戸を開放状態で保持させるものであって、第１係合部材と第２係合部材のうち少なくとも一方に開放保持解除手段が設けられ、開放保持解除手段は、両係合部材の係合状態を解除する付勢手段と、該付勢手段の付勢力に抗して前記係合状態を維持する固定部材とを備え、固定部材は、熱融解性部を有し、熱融解性部の周辺温度が所定温度以上になったときに、該熱融解性部が融解し固定部材が破断することによって引戸の開放保持時の係合状態が解除されることを特徴とする引戸の開放ストッパー装置。
【請求項２】
引戸装置における引戸を開放状態に保持する引戸の開放ストッパー装置において、引戸装置は、建物用鉄骨に固定される引戸枠上部にレール部材が設けられ、引戸が開閉自在で自閉可能にレール部材に吊り下げられるとともに、引戸の閉鎖状態で、引戸が位置する側が出入口側とされ、引戸の開放状態で引戸の位置する側が戸袋側とされ、引戸枠の上部の出入り方向に面する側が、メンテナンスパネルあるいは、壁面を形成する化粧ボードで覆われることによって、少なくともレール部材が隠蔽されるものであって、開放ストッパー装置は、引戸側に設けられた第１係合部材と、引戸枠側に設けられた引戸を開放させると前記第１係合部材に係合する第２係合部材とから成り、引戸の開放時に両係合部材が係合することによって、引戸を開放状態で保持させるものであって、第１係合部材と第２係合部材のうち少なくとも一方に開放保持解除手段が設けられ、開放保持解除手段は、両係合部材の係合状態を解除する付勢手段と、該付勢手段の付勢力に抗して前記係合状態を維持する固定部材とを備え、固定部材は、熱融解性部を有し、熱融解性部の周辺温度が所定温度以上になったときに、該熱融解性部が融解し固定部材が破断することによって引戸の開放保持時の係合状態が解除されることを特徴とする引戸の開放ストッパー装置。
【請求項３】
第１係合部材と第２係合部材は、メンテナンスパネルあるいは、壁面を形成する化粧ボードで隠蔽される位置に設けられ、開放保持解除手段の内、少なくとも熱融解性部が、隠蔽されない位置に設けられていることを特徴とする請求項２に記載の引戸の開放ストッパー装置。
【請求項４】
開放保持解除手段の内、少なくとも熱融解性部が、引戸を開放した状態で引戸の引き残し部となる位置に設けられていることを特徴とする請求項２あるいは請求項３に記載の引戸の開放ストッパー装置。  
【発明の詳細な説明】
【技術分野】
【０００１】
本発明は、引戸の開放姿勢を保持する引戸の開放ストッパー装置に関するものである。
【背景技術】
【０００２】
病院等の公共の施設で使用されることの多い自閉式の引戸装置において、引戸を開放状態で保持する開放ストッパーを設けて、引戸を開放状態にしたままで使用されていることがある。しかしながら火災が発生すると、引戸が開放状態であると熱や煙が拡散することになるため、火災時に熱感知器、もしくは煙感知器と連動して開放ストッパーを解除して自動的に引戸を閉鎖させる電磁式の開放装置が設けられていることがある。
この場合、熱感知器もしくは煙感知器と連動させるため、建築工事において電気信号配線を施す必要があり、建築費用の増加を招いていた。
【０００３】
【特許文献１】特開２０００−０７０３９３公報
【発明の開示】
【発明が解決しようとする課題】
【０００４】
本発明は、従来の問題点に鑑みて、電気信号配線使用せずに引戸の開放状態を解除する開放ストッパー装置を提供することを課題とする。
【課題を解決するための手段】
【０００５】
そこで、上記課題を解決する為、本発明が第１の手段として構成したところは、建物用鉄骨に固定される引戸枠にレール部材が設けられ、開閉自在で自閉可能にレール部材に吊り下げられた引戸を開放状態に保持する引戸の開放ストッパー装置において、開放ストッパー装置は、引戸側に設けられた第１係合部材と、引戸枠側に設けられた引戸を開放させると前記第１係合部材に係合する第２係合部材とから成り、引戸の開放時に両係合部材が係合することによって、引戸を開放状態で保持させるものであって、第１係合部材と第２係合部材のうち少なくとも一方に開放保持解除手段が設けられ、開放保持解除手段は、両係合部材の係合状態を解除する付勢手段と、該付勢手段の付勢力に抗して前記係合状態を維持する固定部材とを備え、固定部材は、熱融解性部を有し、熱融解性部の周辺温度が所定温度以上になったときに、該熱融解性部が融解し固定部材が破断することによって引戸の開放保持時の係合状態が解除されるものである。
【０００６】
次に、第２の手段として構成したところは、引戸装置における引戸を開放状態に保持する引戸の開放ストッパー装置において、引戸装置は、建物用鉄骨に固定される引戸枠上部にレール部材が設けられ、引戸が開閉自在で自閉可能にレール部材に吊り下げられるとともに、引戸の閉鎖状態で、引戸が位置する側が出入口側とされ、引戸の開放状態で引戸の位置する側が戸袋側とされ、引戸枠の上部の出入り方向に面する側が、メンテナンスパネルあるいは、壁面を形成する化粧ボードで覆われることによって、少なくともレール部材が隠蔽されるものであって、開放ストッパー装置は、引戸側に設けられた第１係合部材と、引戸枠側に設けられた引戸を開放させると前記第１係合部材に係合する第２係合部材とから成り、引戸の開放時に両係合部材が係合することによって、引戸を開放状態で保持させるものであって、第１係合部材と第２係合部材のうち少なくとも一方に開放保持解除手段が設けられ、開放保持解除手段は、両係合部材の係合状態を解除する付勢手段と、該付勢手段の付勢力に抗して前記係合状態を維持する固定部材とを備え、固定部材は、熱融解性部を有し、熱融解性部の周辺温度が所定温度以上になったときに、該熱融解性部が融解し固定部材が破断することによって引戸の開放保持時の係合状態が解除されるものである。
【０００７】
次に第３の手段として構成したところは、前記第２の手段として構成したところに加え、第１係合部材と第２係合部材の係合部は、メンテナンスパネルあるいは、壁面を形成する化粧ボードで隠蔽される位置に設けられ、開放保持解除手段の内、少なくとも熱融解性部が、メンテナンスパネルあるいは、壁面を形成する化粧ボードで隠蔽されないように設けられているものである。
【０００８】
次に第４の手段として構成したところは、前記第２の手段あるいは前記第３の手段として構成したところに加え、開放保持解除手段の内、少なくとも熱融解性部が、引戸を開放した状態で引戸の引き残し部となる位置に設けられているものである。
【発明の効果】
【０００９】
請求項１、請求項２に記載の発明によると、火災時に、引戸が第１係合部材と第２係合部材の係合による開放状態であっても、火災による熱で固定部材の熱融解性部が融解し、固定部材が破断することにより、第１係合部材と第２係合部材の係合状態が解除され、引戸が自閉し、引戸を閉止状態にすることができる。そのため、火災時に、引戸の係合状態解除用の電気信号配線工事が不要となり建築費用を抑制することができる。
また、電気信号工事が不要であるので、引戸装置の設置後でも容易な工事で開放解除可能な開放ストッパーを追加することができる。
【００１０】
請求項３に記載の発明によると、第１係合部材と第２係合部材が露出していないので、見栄えが良い。
また、熱融解性部が隠蔽されていないので、出入口側付近の温度が直接熱融解性部に伝わる。そのため、熱融解性部の溶解温度の設定は、出入口側付近の温度に合わせるだけでいいので容易である。
さらに、引戸を設置した施設において、火災を想定して開放状態の引戸を閉止させる作動試験が定期的に行われるが、熱融解性部が隠蔽されていないため、試験用熱源を熱融解性部に近づけることが容易であるので作動試験が簡単に行える。また、試験により破断した固定部材の交換も簡単に行える。
【００１１】
請求項４に記載の発明によると、隠蔽されていない熱融解性部が、引戸の人の出入りに使用されない引戸の引き残しところに設けられているので、不用意に人や物が熱融解性部に接触することがないため安全性が高い。
【発明を実施するための最良の形態】
【００１２】
引戸装置における引戸を開放状態に保持する引戸の開放ストッパー装置において、引戸装置は、建物用鉄骨に固定される引戸枠上部にレール部材が設けられ、引戸が開閉自在で自閉可能にレール部材に吊り下げられるとともに、引戸の閉鎖状態で、引戸が位置する側が出入口側とされ、引戸の開放状態で引戸の位置する側が戸袋側とされ、引戸枠の上部の出入り方向に面する側が、メンテナンスパネルあるいは、壁面を形成する化粧ボードで覆われることによって少なくともレール部材が隠蔽されるものであって、開放ストッパーは、引戸側に設けられた第１係合部材と、引戸枠側に設けられた引戸を開放させると前記第１係合部材に係合する第２係合部材とから成り、引戸の開放時に両係合部材が係合することによって、引戸を開放状態で保持させるものであって、第１係合部材と第２係合部材のうち少なくとも一方に開放保持解除手段が設けられ、開放保持解除手段は、両係合部材の係合状態を解除する付勢手段と、該付勢手段の付勢力に抗して係合状態を維持する固定部材とを備え、固定部材は、熱融解性部を有し、所定温度以上になったときに、該熱融解性部が融解することによって固定部材が破断し引戸の開放保持時の係合状態が解除され、第１係合部材と第２係合部材の係合部は、メンテナンスパネルあるいは、壁面を形成する化粧ボードで隠蔽される位置に設けられ、開放保持解除手段の内、少なくとも熱融解性部が、隠蔽されない位置に設けられるとともに、引戸を開放した状態で引戸の引き残し部となる位置に設けられているものである。
【実施例】
【００１３】
以下、第１実施例を添付図面に基づいて詳述する。
図１において、符号１は引戸枠を示している。
引戸枠１は、図１から図５に示すように、建物用鉄骨１１・・・にブラケット１２・・・を介して固定された戸尻側縦枠１３および戸先側縦枠１４と、戸尻側縦枠１３と戸先側縦枠１４の上端間に、建物用鉄骨１１・・・にブラケット１２・・・を介して配設された上枠１５を有している。
【００１４】
そして、戸尻側縦枠１３と戸先側縦枠１４間で、上枠１５の室内側（実施例ではメンテナンス側、いわゆる、引戸等の吊り込み側）と室外側の両面に上端が固定され、下端部が床面に埋め込まれた室内側中枠３と室外側中枠３０が、室内側と室外側に所定間隔を有して配設されている。
以下、戸尻側縦枠１３と室内側中枠３及び室外側中枠３０間を戸袋側、戸先側縦枠１４と室内側中枠３及び室外側中枠３０間を出入口側、室内側中枠３と室外側中枠３０の方向を出入り方向、戸尻側縦枠１３と戸先側縦枠１４の方向を開閉方向と云う。
尚、実施例では、便宜上、メンテナンス側を室内側として説明しているが、設置場所に対応して、点検側を室外側としても良い事は云うまでもない。
【００１５】
図１、図２、図３において、符号２は、上枠１５の室外側内面にネジ止め連結されているレール取付材を示している。
符号６は、レール部材５に吊り下げられた引戸を示し、符号１６は、戸袋側の床面全幅にわたって固定されたベース材を示し、符号１６４は、ベース材１６の出入口側端部に、ガイドローラー１７が回転自在に設けられ、 室外側中枠３０、室内側中枠３間でやや出入口側に突出して取付けられたガイドローラー取付部材を示している。
図１、図２、図３、図４において、符号４・・・は、戸袋側の室内外側の両面上下方向に所定間隔を有して配設された下地桟を示している。
図３、図４において符号７は、上枠１５の点検出入口側に取り付けられる室内側ランマ下地パネルを示し、符号１９は、上枠１５の出入口側に設けられる室外側ランマ下地パネルを示している。
【００１６】
そして、上記戸尻側縦枠１３、戸先側縦枠１４、上枠１５、レール部材５が取り付けられたレール取付材２、ベース材１６、室内側中枠３、室外側中枠３０、下地桟４・・・、室外側ランマ下地パネル１９、室内側ランマ下地パネル７（以上の部材が引戸枠１等の固定部材となる。）が、内装仕上げ（化粧ボード、クロス等の貼り付け）の行われるまでに施工され、内装仕上げが終了した後、室内側ランマ下地パネル７の一部のメンテナンスパネル７３を取外して、引戸６がレール部材５に吊り込まれ、引戸６の摺動確認、閉鎖スピードの調整作業、レール取付材２の連結固定等が行われる。
【００１７】
以下、各部材について詳述する。
戸尻側縦枠１３は横断面略コ字形に形成され、建物用鉄骨１１の出入口側面から所定寸法離間した位置に立設され、横向きL字形のブラケット１２・・・と建物用鉄骨１１が溶接されたあと、鉛直姿勢の状態でブラケット１２と溶接され、床面仕上げ時に下端部が床面に埋め込まれる。符号１３８は、引戸６が全開した時、引戸６の戸尻側端面が当接する、出入口側面に取り付けられた緩衝部材を示している。
【００１８】
戸先側縦枠１４は、図４に示す如く、建物側鉄骨１１側の上下方向に所定間隔を有して固定用部材１４１・・・が設けられ、出入口側方向で室内側に突出して室内側の化粧ボード１００の出入り口側端面を隠蔽する室内側ボード閉塞突部１４７と、出入口側方向で室外側に突出して室外側の化粧ボード１００の出入口側端面を隠蔽する室外側ボード閉塞突部１４６と、室内側ボード閉塞突部１４７と室外側ボード閉塞突部１４６間に位置し、上部が室内側ボード閉塞突部１４７と室外側ボード閉塞突部１４６より上方に突出し、引戸６の戸先側端部が位置する部分に閉鎖用凹部１４８が上下方向に渡って設けられた戸当たり部より扁平な略コ字形に形成されている。
【００１９】
上枠１５は、図３に示す如く、断面下向きコ字形の上枠基板１５４と、上枠基板１５４の下面に連結された断面逆L字形の上枠室外側部材１５５より構成されている。
上枠室外側部材１５５の室内側にはレール取付材２が連結され、室外側の下半部には室外側ランマ下地パネル１９が取付けられている。
【００２０】
戸先側縦枠１４と上枠１５は上記のように構成され、戸尻側縦枠１３が前述のようにして立設された後、上枠１５の戸先側を戸先側縦枠１４にネジ止めして、上枠１５と戸先側縦枠１４を仮組みした状態で、上枠１５と戸尻側縦枠１３を同様にして仮組みする。
次に、上記の状態を維持しながら戸先側のブラケット１２・・・及び上枠１５側のブラケット１２・・・を介して、戸先側縦枠１４の固定用部材１４１・・・及び上枠１５の上面基板１５４を建物用鉄骨１１と溶接連結する。
【００２１】
ベース材１６は、図２、図５、に示す如く、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３と、固定面１６１の出入り口側端部に、出入り口側に突出し、扉６の下端面に形成された嵌合溝６０内に嵌合するガイドローラー１７を、その上面で回転自在に保持するガイドローラー取付部材１６４が固着されている。
そして、ガイドローラー取付部材１６４の出入り口側端部はアンカーボルトにて床面に固定されると共に、ベース材１６の出入口側端部は室内側中枠３、室外側中枠３０の内面と連結され、さらに、戸尻側端部が戸尻側縦枠１３と連結され床面に固定される。
【００２２】
室内側中枠３は、図４に示す如く、上端部が上枠１５の室内側にネジ止め連結され、内面側に位置する補強枠３１と、補強枠３１の出入り口側の端部から室内側に位置する室内側外側枠３６より構成され、下端部がベース材１６と連結され、床面仕上げ時に下端が床面に埋め込まれて立設される。
【００２３】
室外側中枠３０は、図４に示す如く、上端部が上枠１５の室外側とネジ止め連結され、内面側に位置する室外側補強枠３０１と、室外側補強枠３０１の出入り口側の端部から室外側に位置する室外側外側枠３０６より構成され、下端部がベース材１６と連結され、床面仕上げ時に下端が床面に埋め込まれて立設される。
すなわち、室外側中枠３０は、上部が上枠１５と上下2箇所で連結され、下端が床面に埋め込まれて立設されているので、引戸の揺れによる上枠１５の室内側への捩れを防止する補強材の機能を兼ね備えている。
【００２４】
下地桟４は、図５に示すように、基板表面部４１と、基板表面部４１の上下端部をL字形に折り曲げた上下フランジ部４２、４３より構成され、基板表面部４１の戸先側端部と戸尻側端部が戸尻側縦枠１３と室内側中枠３及び室外側中枠３０にネジ止め連結され上下方向に所定間隔を有して配設されている。
【００２５】
室外側ランマ下地パネル１９は、図３に示す如く、室外側表面基板１９１の上端部に形成されたL字形の上部連結用突片１９２と、室外側表面基板１９１の下端部に室外側に突出して形成された略コ字形の室外側化粧突部１９３より形成されている。
すなわち、室外側ランマ下地パネル１９は室外側中枠３０と戸先側縦枠１４の上部間に位置して取付けられ、室外側化粧ボード１００が貼り付けられた状態で、室外側化粧突部１９３だけが露出することとなる。
【００２６】
室内側ランマ下地パネル７は、図３に示すように、基板７２と、基板７２の下端部に分離可能に設けられたメンテナンスパネル７３より構成されている。
そして、基板７２は、上枠１５にネジ止め連結される、上端に形成された上端連結突片７１と、室内側化粧ボード１００の下端縁の下面を支持隠蔽する基板側下突片７２１より構成されている。
【００２７】
メンテナンスパネル７３は、図３に示すように、室内側の上方から基板側下突片７２１の先端部分に載置され、室内側化粧ボード１００に張られたクロスの下縁を隠蔽する載置用突片７６と、戸先側縦枠１４と室内側中枠３の上端部出入口側内面に取付けられたメンテナンスパネル連結座７０、７０に下面側が化粧ネジ７００、７００にて連結され、出入口上部の室内側を閉塞するL字形の室内側閉塞部７８より構成されている。
【００２８】
突部連結座７０、７０は対向した同形に構成されているので一方側についてのみ説明する。
突部連結座７０は、図３、図１４に示すように、室内側中枠３の上端部出入口側内面にネジ止め連結される連結用壁７０１と、連結用壁７０１の上端部に出入口側に突出して連設され、上面が室内側下地パネル７の基板側下突片７２１の下面に当接し、該下面にネジ止め連結される上部突出壁７０２と、連結用壁７０１の上端部に出入口側に突出して連設され、室内側閉塞部７８の下面がネジ止め連結される連結用螺孔７０３を有する下部突出壁７０４より構成されている。
【００２９】
室内側ランマ下地パネル７と、突部連結座７０、７０は、上記のように形成され、上端連結突片７１が上枠１５にネジ止めされた状態で、基板７２の上方に下地ボード１０１が貼り付けられ、されに基板７２の室内側の表面に室内側化粧ボード１００が貼り付けられ、室外側ランマ下地パネル１９の下室外側表面基板１９１の上方に下地ボード１０１が貼り付けられ、さらに、下室外側表面基板１９１の室外側表面に室外側化粧ボード１００が貼り付けられ、下地桟４・・・の上下フランジ４２、４３、ベース材１６の下地ボード受面１６３、上枠１５の室内側垂下突片１５２及び室外側垂下突片１５３間等に下地ボード１０１・・・が貼り付けられ、下地ボード１０１・・・の表面の戸袋側に化粧ボード１００が貼り付けられた状態で、出入口以外の表面が建物の壁面と同じ化粧用ボード１００で面一に覆われた後、さらに室内側にはクロス等が貼り付けられることとなる。
【００３０】
すなわち、戸先側縦枠１４の室内側ボード閉塞突部１４６と、室外側ボード閉塞突部１４７と、室内側中枠突部３２と室外側中枠突部３０２と、メンテナンスパネル７３と室外側化粧突部１９３が化粧ボード１００より外側に突出してあらわれることとなる。
そして、最終仕上げが施された（レール取付材２、引戸６等が取り付けられた）後、メンテナンスパネル７３の載置用突片７６を基板側下突片７２１に外側上方から載置し、突部連結座７０、７０に室内側閉塞部７８が下面からネジ止め連結されて出入口の上部にメンテナンスパネル７３が着座自在に設けられる。
【００３１】
レール取付材２は、図３に示すように、レール部材５が室内側に連結されるレール部材連結壁を有し、上枠１５（上枠室外側部材１５５）の室内側に、出入口側と戸袋側のほぼ全幅にわたって、戸先側が下がる状態（レール部材５が前下がりの状態となるよう）に傾斜調節可能に連結される。
【００３２】
レール部材５は、レール取付材２のほぼ全幅に渡って配設され、図３に示すように、断面略C字形で、レール取付材２よりやや短目のレール補強部材５００と、レール補強部材５００の室内側にネジ止め連結される断面略C字形で、レール補強部材５００とほぼ同長の室外側メンバー５１と、室外側メンバー５１の略３分の２程度の長さのボールリテーナに回転自在に保持されたボールを介して、室外側メンバー５１に摺動自在に保持される、室外側メンバーの略３分の１程度の長さの移動側メンバー５４より構成され、移動側メンバー５４の室内側には、移動側メンバー５４と同程度の長さの吊り下げ用金具５５が固着されている。
【００３３】
吊り下げ用金具５５は、図３に示すように、移動側メンバー５４の室内側に固着される連結固着部５５１と、連結固着部５５１の下端部に連設された室内側が開口するコ字形の吊り下げ支持部５５２より構成されている。
そして、吊り下げ支持面５５２の開閉方向側両端部には、室内側が開口する吊り下げボルト挿通孔が形成されている。
【００３４】
吊り下げ用金具５５に吊り下げられる引戸６は、前記吊り下げボルト挿通孔に対応する位置で、上端面に吊り下げボルト６１、６１が設けられたパネル形状をなし、戸先側の上面に開放ストッパー装置８の第１係合部材１０が取り付けられ、下端面の開閉方向に前記ガイドローラー１７が嵌合する嵌合溝６０が形成され（図３に示す。）、引戸６の戸先側端面には、引戸の閉鎖状態で戸先側縦枠１４の閉鎖用凹部１４８内に位置する戸当たり部材６００（図４に示す。）が、戸先側縦枠１４方向に突出して設けられている。
符号３００は（図１に示す。）、引戸６の戸先側端部（引き残し部）で、室内側（点検側）、室外側（固定側）に設けられた取手を示している。
【００３５】
吊り下げボルト６１は、螺軸部とボルト頭部よりなり、メンテナンスパネル７３が取外された状態の出入口の室内側より、吊り下げボルト６１、６１の螺軸部が、吊り下げ支持部５５２の吊り下げボルト挿通孔を挿通して、ボルト頭部が吊り下げ用支持部５５２に保持され、必要に応じて頭部をスパナで回動して引戸６を所定の高さに位置させた後、ボルト保持体６５、６５が吊り下げ用支持部５５２に室内側より連結されて、レール部材５に吊り下げ用金具５５を介して吊り下げられる。
【００３６】
さらに、引戸６を吊り下げた状態で、レール取付材２の傾斜角度を調節し、引戸６の所望の自閉スピードを得る。
次に、第２係合部材９、ブレーキ装置、フリーストッパー装置等のオプション部材が室内側から取付けられるが、実施例の引戸の開放ストッパー装置８以外のオプション部材は公知（市販）のもの使用しているので説明は省略する。
【００３７】
開放ストッパー装置８は、図２、図３及び図６に示すように、室内側中枠３の上端部出入口側内面に取付けられる第２係合部材９と、第２係合部材９に対応して引戸６の戸先側の上面に取り付けられた第１係合部材１０より構成されている。
【００３８】
第２係合部材９は、主に支持基材９３と第２係合片９４と付勢手段９５と固定部材９６とで構成されており、これらの構成について詳述する。
【００３９】
図７に示すように、支持基材９３は、取付部壁９３１、支持部９３２、第１延長部９３３、第１保持部９３４とで構成される。
【００４０】
取付部壁９３１は、第２係合部材９を室内側中枠３にネジ止めにて連結するためのものであって、取付部壁９３１は、室内側中枠３の上端部出入口側内面に接し連結用のネジが通る貫通孔が設けられている。
支持部９３２は、断面下向きコの字型であり、取付部壁９３１の上部から出入口側に突出して連設され、第２係合片９４が上下方向に回動自在に取り付けられる支持座９３２ａ、９３２ｂと、付勢手段９５を連結する第１連結係合孔９３２ｃを有している。
【００４１】
第１延長部９３３は、支持座９３２ｂの突出方向の前方部の引戸６側の側面に連接され、下方に向かって垂れ下がるように延伸すると共に、引戸６とメンテナンスパネル７３との間の隙間を通り、該隙間より下方に突出する長さに設定されている。
第１保持部９３４は、第１延長部９３３の下端面に連接されるとともに戸先側に突出している。したがって、第１保持部９３４はメンテナンスパネル７３の下方に露出した状態となる。
そして、第１保持部９３４の戸先側先端部には、引戸６側と反対側に向かって第１保持軸９３４ａが突設している。
【００４２】
第２係合片９４は、基部９４１、第２係合体９４２、第２延長部９４３、第２保持部９４４とで構成される。
基部９４１は、一端に支持軸受け９４１ａを有し、支持軸受け９４１ａから戸先方向に向かって延伸しており、延伸先上面に第２係合体９４２がネジ止めされている。
第２係合体９４２は、板バネ材で形成され弾性変形可能であって、前記基部９４１と連結される第２係合体基部９４２ａの先端部から戸先側にかけて、上方に向かって傾斜する保持傾斜面９４２ａと、保持傾斜面９４２ａの上端部から戸先側にかけて下方に向かって傾斜する案内傾斜面９４２ｂを有した山形を成している。
そして、支持軸受け９４１ａと第２係合部９４２の間の所定の位置に付勢手段９５を係合する第２連結係合孔９４１ｂが設けられている。
【００４３】
第２延長部９４３は、基部９４１先端部の引戸６側の側面に連接され、基部９４１下方に向かって垂れ下がるように延伸すると共に、引戸６とメンテナンスパネル７３との間の隙間を通り、該隙間より下方に突出する長さに設定されている。
第２保持部９４４は、第２延長部９４３の下端面に連接され、引戸６の反対側に向かって突出している。したがって、第２保持部９４４はメンテナンスパネル７３の下方に露出した状態となる。
そして、第２保持部９４４には引戸６側と反対側に向かって第２保持軸９４４ａが突設している。
【００４４】
付勢手段９５は、板バネ材であって、板状の第１アーム９５１と板状の第２アーム９５２の一端つないだ正面視横向きＶ字状を成している。
各アームの先端には、それぞれ、第１連結係合孔９３２ｃと第２連結係合孔９４１ｂに係合する第１係合片９５１ａと第２係合片９５１ｂが形成されている。
【００４５】
固定部材９６は、第１部材９６１、第２部材９６２、熱融解性材９６３とで構成されている。
第１部材９６１は板状であって、一端部付近に支持基材９３の第１保持部９３４が差し込まれる第１保持孔９６１ａが設けられている。
第２部材９６２は第１部材９６１と同様に、板状であって一端部付近に第２係合片９４の第２保持部９４４が差し込まれる第２保持孔９６２ａが設けられており、他端部側に熱融解性材９６３が流し込まれる連結孔９６２ｂが設けられている。
熱融解性材９６３は、通常温度では固形であるが、一定の温度以上になると溶融する低融点合金であって、本実施例においては摂氏７２度で溶解するものが用いられているが、摂氏１２０度で溶解するものを採用するなど、引戸の設置環境に合わせて適宜決定すればよい。
【００４６】
そして、第１部材９６１の前記保持孔の反対側端部付近と、第２部材９６２の連結孔９６２ｂ付近が連結孔９６２ｂから第１部材９６１部材が臨むように重ね合わされ、連結孔９６２ｂに、熱によって融解した熱融解性材９６３が流し込まれ、この状態で常温放置すると、熱融解性材９６３の温度低下と共に熱融解性材９６３が固形化し、第１部材９６１と第２部材９６２が固形化した熱融解性材９６３によって連結される。このようにして、固定部材９６は使用形態とされる。
【００４７】
前記のように形成された各部材を次のように組み合わせる。
支持基材９３の支持座９３２ａ、９３２ｂと第２係合片９４の支持軸受け９４１ａが支持軸９３５によって連結されることによって、第２係合片９４は上下方向に回動自在となる。
そして、付勢手段９５のＶ字状のつながった側が、第２係合片９４の支持軸受け９４１ａ側に位置し、第１アーム９５１と第２アーム９５２の第１係合片９５１ａと第２係合片９５１ｂが、それぞれ、支持基材９３の第１連結係合孔９３２ｃと第２係合片９４の第２連結係合片９４１ｂに係合して取り付けられている。
このように付勢手段９５を取り付けることによって、第２係合片９４は支持基材９３に対して、支持軸９３５を回動中心に下方に回動した状態で維持される。
【００４８】
次に、第２係合片９４を付勢手段９５の付勢力に抗しながら下から押し上げ、第２係合片９４の基部９４１が水平状態近くになったところで、固定部材９６の第１保持孔９６１ａを第１保持軸９３４ａに差し込み、固定部材９６の第２保持孔９６２ａを第２係合片９４の第２保持軸９４４ａに差し込む。
【００４９】
この状態で、第２係合片９４には、付勢手段９５の付勢力によって常に下向きに回動する力が加わることになるが、固定部材９６で該回動を規制しているので、第２係合片９４の基部９４１水平状態近くまま維持される。また、固定部材９６の第１保持孔９６１ａと第２保持孔９６２ａに付勢手段９５の付勢力が常に伝わるため、固定部材９６は、第１保持部９３４、第２保持部９４４から容易に外れない。
さらに、第１保持軸９３４ａ、第２保持軸９４４ａのそれぞれに、溝部９３４ｂ、９４４ｂを設けることによって、なんらかの衝撃などで万が一、固定部材９６が、ずれたとしても、溝部９３４ｂあるいは９４４ｂに固定部材９６保持孔端部が落ちるので固定部材９６が引っかかり、固定部材９６が第１保持軸９３４ａ、第２保持軸９４４ａから容易に外れないようにすることができる。
【００５０】
第１係合部材１０は、引戸６の引き残し部（戸先側端部）上面にネジ止め連結される断面Ｌ字形の連結金具１０１と、連結金具１０１の垂直面１０１ａの引戸６の反対側に設けられたストッパー車１０２からなる。
ストッパー車１０２は、垂直面１０１ａに対して垂直に立てられた基軸１０２ａと基軸１０２ａを中心軸に回転するように設けられたローラー体１０２ｂとからなる。
【００５１】
本発明の開放ストッパー装置８は、上記のように構成され、引戸６が開放される時（図９の矢印の方向）、第１係合部材１０のローラー体１０２ｂが、第２係合部材９の案内傾斜面９４２ｂに圧接し（図９の状態）、引戸６が全開状態に近づくにしたがって、ローラー体１０２ｂは案内傾斜面９４２ｂに沿って、案内傾斜面９４２ｂを押し下げ、第２係合体９４２を弾性変形させながら移動する（図１０の状態）。
そして、ローラー体１０２ｂが案内傾斜面９４２ｂを乗り越えた時、押し下げられていた基部９４１は、水平状態に復帰する（図１１の状態）。
この状態で、開放操作を止めると、引戸６が自閉し始めるが、ローラー体１０２ｂが保持傾斜面９４２ａに当接するので開放状態は保持される。
当然のごとく、基部９４１の弾性変形力は、引戸６の自閉力によって、ローラー体１０２ｂが保持傾斜面９４２ａを押し下ない強さに設定されている。
また、基部９４１の弾性変形力は、複数枚（図面では２枚）配設される第２係合体９４２の枚数の増減によって調整できる。
【００５２】
この状態から引戸６が閉止する時は、引戸６を人の手によって閉止方向に移動させる。人の力によって、ローラー体１０２ｂが保持傾斜面９４２ａを押し下げ開放状態が解除される。
【００５３】
前述の開放保持状態で火災が起きた場合、火災によって、固定部材９６の周辺温度が熱融解性材９６３の融解温度（実施例では摂氏７２度）に達すると、熱融解性材９６３が融解するので、付勢手段９５の付勢力によって、固定部材９６の第１部材９６１と第２部材９６２が分断する。そして、第２係合片９４が、第２係合片９４の自重と付勢手段９５の付勢力によって下方に押し下げられる（図１２の状態）。
その結果、保持傾斜面９４２ａがローラー体１０２ｂを保持しなくなるので、開放状態が解除され、引戸６の自閉手段によって引戸６自動的に閉鎖し始める（図１３の状態、矢印は引戸の移動方向を示す）。
付勢手段９５がなくとも、第２係合片９４の自重あるいは錘を用いて第２係合片９４を下方に押し下げることも可能である。ただし、付勢手段９５を備えることによって、前述のように固定部材９６の脱落を防止することが容易となるばかりか、第２係合片９４の解除動作の安定化を図ることができる。
【００５４】
また、図１５、図１６で示す第２実施例のように、第２係合片９４を第１実施例に対して上下反転するように配設してもよい。この場合、前記の火災時には第２係合片９４は上方に跳ね上がるので、付勢手段９５の付勢力は、第一実施例に対して第２係合片９４の自重分も持ち上げる付勢力を付加しておかなければならない。
【００５５】
また、図１７で示す第３実施例のように、第１係合部材側に熱融解性材を設けて、第２係合部材側にストッパー車を設けてもよい。この場合、引戸６の自閉手段がレール取付材２の傾斜によるものでは引戸６の開放によって、第１係合部材がメンテナンスパネルの下面に接触することも考えられるので、引戸６の自閉手段は、ゼンマイ式、錘式などを使用し、引戸６が開閉によって上下動しないようにした方が好ましい。
【００５６】
固定部材９６の熱融解性材９６３部がメンテナンスパネル下方で露出した状態とされているがメンテナンスパネルの一部に開口を設ける方法でもよい。
【００５７】
実施例において、第１係合部材１０は、引戸６の戸先側の上面に取り付けられているが、引戸の上面に限るものではない。引戸の開閉に合わせて移動する移動部材に取り付ければよいので、例えば吊り下げ用金具に取り付けることも可能である。
引戸の移動装置を広く知られている戸車式にした場合、戸車を支持する金具に取り付けることもできる。
【００５８】
また、第２係合部材９は、室内側中枠３の上端部出入口側内面に取り付けられているが、室内側中枠に限るものではない。レール部材５に取り付けるようにしてもよく、第２係合部材を引戸に開閉によって移動しない固定部材に取り付けるようにすればよい。
【００５９】
開放ストッパーは、引戸が全開状態で保持される位置が一般的であるが、全開状態だけではなく、第２係合部材９を引戸の開放途中で開放状態を保持させる位置（例えば上端連結突片７１下面）に設置し、半開開放ストッパーとして使用してもよい。
引戸の自閉手段は、ゼンマイ式、錘式など他の方法を用いても構わない。
【図面の簡単な説明】
【００６０】
【図１】本発明の室内側（点検側）からの正面図
【図２】化粧ボードと、室内側下地パネルを取外した状態での本発明の室内側からの正面図
【図３】図１のA―A線拡大断面図
【図４】図１のB―B線一部拡大断面図
【図５】図１のC―C線拡大断面図
【図６】引戸が解放状態の時の開放ストッパー装置要部拡大図
【図７】開放ストッパー装置の分解斜視図
【図８】固定部材の分解斜視図
【図９】引戸が開放状態に近づいたときの開放ストッパー装置の状態を示す説明図
【図１０】引戸の開放途中の開放ストッパー装置の状態を示す説明図
【図１１】引戸の開放時の開放ストッパー装置の状態を示す説明図
【図１２】固定部材が破断した時の開放ストッパー装置の状態を示す説明図
【図１３】固定部材が破断した後、引戸が自閉し始めた時の開放ストッパー装置の状態を示す説明図
【図１４】突部連結座の斜視図
【図１５】第２実施例の引戸が解放状態の時の開放ストッパー装置要部拡大図
【図１６】第２実施例の固定部材が破断した時の開放ストッパー装置の状態を示す説明図
【図１７】第３実施例の引戸が解放状態の時の開放ストッパー装置要部拡大図
【符号の説明】
【００６１】
１        引戸枠
１１      建物用鉄骨
１００    化粧ボード
２        レール取付材
５        レール部材
６        引戸
７３      メンテナンスパネル
８        開放ストッパー装置
９        第２係合部材
９３      支持基材
９４      第２係合片
９５      付勢手段
９６      固定部材
９６１    第１部材
９６２    第２部材
９６３    熱融解性材
１０      第１係合部材
１０１    連結金具
１０２    ストッパー車
【図１】
2014221142.tif 000003
【図２】
2014221142.tif 000004
【図３】
2014221142.tif 000005
【図４】
2014221142.tif 000006
【図５】
2014221142.tif 000007
【図６】
2014221142.tif 000008
【図７】
2014221142.tif 000009
【図８】
2014221142.tif 000010
【図９】
2014221142.tif 000011
【図１０】
2014221142.tif 000012
【図１１】
2014221142.tif 000013
【図１２】
2014221142.tif 000014
【図１３】
2014221142.tif 000015
【図１４】
2014221142.tif 000016
【図１５】
2014221142.tif 000017
【図１６】
2014221142.tif 000018
【図１７】
2014221142.tif 000019